(57)【要約】【課題】メール本文と画像とを同時に確認できるメールの作成・送信を容易に実現し、また、画像が添付されたメールを受信した際でも、容易に原画像が確認可能とする。【解決手段】携帯電話１ａ，１ｂは、写真付きメールを送信するに先立って、受信側においてメール本文に添付する画像を背景とし、該画像にメール本文を重ね合わせて表示された際に、メール本文が視認できるように、画像の明度を補正した後、システム（特に、メールサーバ３３、６３）に送信する。また、画像の明度に応じて、メール本文の文字色も変更する。また、携帯電話１ａ，１ｂは、写真付きメールを受信すると、添付された画像（明度調整されたもの）を背景とし、該画像にメール本文を重ね合わせて表示する。【選択図】　図１
2004005525.tif 000002
【特許請求の範囲】
【請求項１】
送信したい文書を準備する手段と、
送信したい画像を準備する手段と、
前記画像を、前記文書を受信する受信側データ通信装置の表示部に、前記文書の背景画像として表示させるか否かを設定する手段と、
該設定手段により背景画像として表示させることが設定された場合に、前記文書、前記画像及び該画像を前記文書の背景画像として表示することが設定されたことを識別することが可能な情報を、１組のデータとして送信する送信手段と
を具備することを特徴とするデータ通信装置。
【請求項２】
前記データの送信に先立って、前記画像を背景画像にして前記文書を表示させる手段を具備することを特徴とする請求項１記載のデータ通信装置。
【請求項３】
前記画像を前記文書の背景画像として表示させた際に前記文書および前記画像の双方が視認できるように、前記画像を加工する手段を具備することを特徴とする請求項１記載のデータ通信装置。
【請求項４】
前記加工手段は前記画像の明度を補正する手段であり、前記送信手段は明度が補正された画像を送信することを特徴とする請求項３記載のデータ通信装置。
【請求項５】
前記加工手段は前記画像の明度を補正する手段であり、前記送信手段は画像とともにその画像の明度補正データを送信することを特徴とする請求項３記載のデータ通信装置。
【請求項６】
前記加工手段は異なる明度フィルタ機能を備えたテンプレートを選択して前記画像に重ね合わせる手段であり、前記送信手段は画像とともにテンプレートを指定するデータを送信することを特徴とする請求項３記載のデータ通信装置。
【請求項７】
前記加工手段は、前記画像の明度を判別し、その明度に応じたフィルタ機能を備えるテンプレートを選択する手段を具備することを特徴とする請求項６記載のデータ通信装置。
【請求項８】
前記画像の明度に基づいて前記文書の文字色を変更する手段を具備することを特徴とする請求項１乃至７の何れかに記載のデータ通信装置。
【請求項９】
撮像手段を具備し、前記画像は前記撮像手段によって撮像された画像であることを特徴とする請求項１乃至７の何れかに記載のデータ通信装置。
【請求項１０】
データを受信する受信手段と、該受信手段で受信したデータが文書、画像及び該画像を文書の背景画像として表示させることの指定が為されていることを識別することが可能な情報を含む場合に、前記画像を前記文書の背景画像として表示する表示制御手段とを具備することを特徴とする請求項１乃至７の何れかに記載のデータ通信装置。
【請求項１１】
他のデータ通信装置から送信されたデータを受信することが可能なデータ通信装置であって、
データを受信する受信手段と、
該受信手段で受信したデータが文書、画像及び該画像を文書の背景画像として表示させることの指定が為されていることを識別することが可能な情報を含む場合に、前記画像を前記文書の背景画像として表示する表示制御手段と
を具備することを特徴とするデータ通信装置。
【請求項１２】
前記識別可能な情報は前記画像を前記文書の背景画像として表示させること指示する指示情報及び又は前記画像の明度補正データであり、前記表示制御手段は、前記受信手段で受信したデータに前記画像の明度補正データが含まれていた場合に、該明度補正データに基づいて背景画像の明度を補正することを特徴とする請求項１１記載のデータ通信装置。
【請求項１３】
前記識別可能な情報は前記画像を前記文書の背景画像として表示させること指示する指示情報及び又はテンプレートを指定するデータであり、データ通信装置は異なる明度フィルタ機能を備えたテンプレートを複数備え、前記表示制御手段は、前記受信手段で受信したデータにテンプレート指定データが含まれていた場合に、該指定データに基づいてテンプレートを選択して前記画像に重ね合わせることを特徴とする請求項１１記載のデータ通信装置。
【請求項１４】
画像を文書の背景画像として表示している状態から画像のみの表示又は文書のみの表示に切換える表示切換手段を具備することを特徴とする請求項１０乃至１３の何れかに記載のデータ通信装置。
【請求項１５】
第１のデータ通信装置と第２のデータ通信装置とを備え、第１のデータ通信装置から第２のデータ通信装置へデータを伝送することが可能なデータ通信システムであって、
前記第１のデータ通信装置は、
送信したい文書を準備する手段と、
送信したい画像を準備する手段と、
前記画像を、前記文書を受信する受信側データ通信装置の表示部に、前記文書の背景画像として表示させるか否かを設定する手段と、
該設定手段により背景画像として表示させることが設定された場合に、前記文書、前記画像及び該画像を前記文書の背景画像として表示することが設定されたことを識別することが可能な情報を、１組のデータとして送信する送信手段とを具備し、
前記第２のデータ通信装置は、
前記第１のデータ通信装置から送信されたデータを受信する受信手段と、
該受信手段で受信したデータが文書、画像及び該画像を文書の背景画像として表示させることの設定が為されていることを識別することが可能な情報を含む場合に、前記画像を前記文書の背景画像として表示する表示制御手段と
を具備することを特徴とするデータ通信システム。
【請求項１６】
第１のデータ通信装置から第２のデータ通信装置へ文書と画像とを送信し、第２のデータ通信装置の表示部に前記画像を背景画像として前記文書を表示させるデータ通信方法であって、
第１のデータ通信装置において実行される、送信したい文書と当該文書の背景画像となる画像とを準備するステップと、準備した文書と画像、並びに前記第２のデータ通信装置に当該画像を前記文書の背景画像として表示させることを認識させる情報とを含むデータを送信するステップ、及び
第２のデータ通信装置において実行される、第１のデータ通信装置から送信されたデータを受信するステップと、受信したデータが前記文書、前記画像及び前記認識させる情報とを含む場合に、前記画像を前記文書の背景画像として表示するステップ
を具備することを特徴とするデータ通信方法。
【請求項１７】
前記データの送信に先立って前記画像を背景画像にして前記文書を表示させるステップを具備することを特徴とする請求項１６記載のデータ通信方法。
【請求項１８】
前記画像を前記文書の背景画像として表示させた際に前記文書および前記画像の双方が視認できるように、前記画像を加工するステップを具備することを特徴とする請求項１６記載のデータ通信方法。
【請求項１９】
前記画像加工ステップは前記画像の明度を補正するステップであり、前記データ送信ステップは画像とともにその画像の明度補正データを送信するステップであることを特徴とする請求項１８記載のデータ通信方法。
【請求項２０】
前記画像加工ステップは異なる明度フィルタ機能を備えたテンプレートを選択して前記画像に重ね合わせるステップであり、前記データ送信ステップは画像とともにテンプレートを指定するデータを送信するステップであることを特徴とする請求項１８記載のデータ通信方法。
【発明の詳細な説明】
【０００１】
【発明の属する技術分野】
本発明は、データ通信装置、データ通信システムおよびデータ通信方法に関する。
【０００２】
【従来の技術】
従来より、各種ファイルを添付して電子メールをやりとりするシステムが存在している。近年では、携帯電話等の無線通信端末に撮像機能を設け、撮像された画像をメールに添付して相手先の無線通信端末に送信できるようになっている。受信側の無線通信端末においてメールに添付された画像を表示する場合、通常はメール本文とは独立して表示されるが、メール本文の末尾に表示されるようになっているものもある。また、撮像された画像を、予めユーザ登録したＩＳＰ（インターネット　サービス　プロバイダ）のサーバ（より具体的には、サーバ内の画像データベース）にアップロードし、このアップロードされた画像のＵＲＬ（Ｕｎｉｆｏｒｍ　Ｒｅｓｏｕｒｃｅ　Ｌｏｃａｔｏｒ）をメールに添付して相手先の無線通信端末に送信する方法も知られている。この場合、メールを受信した相手先の無線通信端末でメール本文とともにＵＲＬを表示させ、相手先の無線通信端末のユーザがＵＲＬを指定すると、相手先の無線通信端末がネットワーク接続して前記サーバ（画像データベース）から画像データをダウンロードして表示することができるようになっている。
【０００３】
【発明が解決しようとする課題】
しかしながら、このような従来のメールサービスに係る画像表示方法では、特に、小型の無線通信端末の場合、表示画面の大きさ等の問題から、メール本文と画像とを同時に表示させることができず、メール本文を読む際、同時に画像を確認するようなことは非常に困難であった。
【０００４】
そこで本発明は、メール本文と画像とを同時に確認できるメールの作成・送信を容易に実現することができ、また、画像が添付されたメールを受信した際でも、容易に原画像を確認することができるデータ通信装置、データ通信システムおよびデータ通信方法を提供することを目的とする。
【０００５】
【課題を解決するための手段】
上記目的を達成するために、本願の第１の発明（請求項１記載の発明）に係わるデータ通信装置は、送信したい文書を準備する手段と、送信したい画像を準備する手段と、前記画像を、前記文書を受信する受信側データ通信装置の表示部に、前記文書の背景画像として表示させるか否かを設定する手段と、この設定手段により背景画像として表示させることが設定された場合に、前記文書、前記画像、及び該画像を前記文書の背景画像として表示することが設定されたことを識別することが可能な情報を、１組のデータとして送信する送信手段とを具備することを特徴とする。文書準備手段としては、文字、記号、数字などの入力が可能なキーボードが望ましいが、他の入力デバイスであってもよい。また、画像準備手段としては、カメラなどの撮像装置が望ましいが、画像を得ることが出来る手段であれば如何なる手段であってもよい。例えば、インターネット網から画像をダウンロードする手段でも良い。
【０００６】
上記データ通信装置はデータ送信装置であり、前記データの送信に先立って、前記画像を背景画像にして前記文書を表示させる手段を具備することが望ましい。また、前記データを受信する受信側装置において前記画像を前記文書の背景画像として表示させた際に、前記文書および前記画像の双方が視認できるようにするために、前記画像を加工する加工手段を具備すること望ましい。加工手段としては、画像の明度を補正する手段が望ましく、この場合、明度が補正された画像を送信するか、或いは、原画像とその画像の明度補正データを送信する。また、前記加工手段は、異なる明度フィルタ機能を備えたテンプレートを選択して前記画像に重ね合わせる手段であってもよい。この場合、画像とともにテンプレートを指定するデータを送信する。また、前記加工手段は、テンプレートを選択する手段として、前記画像の明度を判別し、その明度に応じたフィルタ機能を備えるテンプレートを選択する手段を具備することが望ましい。
【０００７】
更に、上記データ通信装置は、受信側装置において前記画像を前記文書の背景画像として表示させた際に、前記文書および前記画像の双方が視認できるようにするために、前記画像の明度に基づいて、前記文書の文字色を変更する手段を具備することが望ましい。更にまた、上記データ通信装置は、同種の他のデータ通信装置との間で上記のようなデータを送受信できるようにするために、データを受信する受信手段と、前記受信手段で受信したデータが、文書、画像、及び該画像を前記文書の背景画像として表示させることの指定が為されていることを識別することが可能な情報を含む場合、前記画像を文書の背景画像として表示する表示制御手段とを具備することが望ましい。
【０００８】
また、上記目的を達成するために、本願の第２の発明（請求項１１記載の発明）に係わるデータ通信装置は、他のデータ通信装置から送信されたデータを受信することが可能なデータ通信装置であって、データを受信する受信手段と、この受信手段で受信したデータが文書、画像及び該画像を文書の背景画像として表示させることの指定が為されていることを識別することが可能な情報を含む場合に、前記画像を前記文書の背景画像として表示する表示制御手段とを具備することを特徴とする。
【０００９】
前記識別可能な情報は、前記画像を前記文書の背景画像として表示させること指示する指示情報及び又は前記画像の明度補正データで構成され得る。この場合、前記表示制御手段は、前記受信手段で受信したデータに前記画像の明度補正データが含まれていた場合には、該明度補正データに基いて背景画像の明度を補正する。また、前記識別可能な情報は、前記画像を前記文書の背景画像として表示させること指示する指示情報及び又はテンプレートを指定するデータで構成され得る。この場合、データ通信装置は、異なる明度フィルタ機能を備えたテンプレートを複数備え、前記表示制御手段は、前記受信手段で受信したデータにテンプレート指定データが含まれていた場合には、該指定データに基づいてテンプレートを選択して前記画像に重ね合わせる。また、データ通信装置は、ユーザが画像や文書を確実に認識できるようにするために、画像を文書の背景画像として表示している状態から、画像のみの表示、又は文書のみの表示に切換える表示切換手段を具備することが望ましい。
【００１０】
また、上記目的を達成するために、本願の第３の発明（請求項１５記載の発明）に係わるデータ通信システムは、第１のデータ通信装置と第２のデータ通信装置とを備え、第１のデータ通信装置から第２のデータ通信装置へデータを伝送することが可能なデータ通信システムであって、前記第１のデータ通信装置が、送信したい文書を準備する手段と、送信したい画像を準備する手段と、前記画像を、前記文書を受信する受信側データ通信装置の表示部に、前記文書の背景画像として表示させるか否かを設定する手段と、この設定手段により背景画像として表示させることが設定された場合に、前記文書、前記画像及び該画像を前記文書の背景画像として表示することが設定されたことを識別することが可能な情報を、１組のデータとして送信する送信手段とを具備し、前記第２のデータ通信装置が、前記第１のデータ通信装置から送信されたデータを受信する受信手段と、この受信手段で受信したデータが文書、画像、及び該画像を文書の背景画像として表示させることの設定が為されていることを識別することが可能な情報を含む場合に、前記画像を前記文書の背景画像として表示する表示制御手段とを具備することを特徴とする。
【００１１】
また、上記目的を達成するために、本願の第４の発明（請求項１６記載の発明）に係わるデータ通信方法は、第１のデータ通信装置から第２のデータ通信装置へ文書と画像とを送信し、第２のデータ通信装置の表示部に前記画像を背景画像として前記文書を表示させるデータ通信方法であって、第１のデータ通信装置において実行される、送信したい文書と前記文書の背景画像となる画像とを準備するステップと、前記文書、画像、及び前記第２のデータ通信装置に当該画像を前記文書の背景画像として表示させることを認識させる情報とを含むデータを送信するステップ、及び、第２のデータ通信装置において実行される、第１のデータ通信装置から送信されたデータを受信するステップと、受信したデータが前記文書、前記画像及び前記認識させる情報とを含む場合に、前記画像を前記文書の背景画像として表示するステップとを具備することを特徴とする。
【００１２】
この場合、前記データの送信に先立って、前記画像を背景画像にして前記文書を表示させるステップを具備することが望ましい。また、第２のデータ通信装置において前記画像を前記文書の背景画像として表示させた際に、前記文書および前記画像の双方が視認できるようにするために、前記画像を加工するステップを具備することが望ましい。前記画像加工ステップは、前記画像の明度を補正するステップであることが望ましい。この場合、データ送信ステップでは、原画像とともにその画像の明度補正データを送信する。また、前記画像加工ステップは、異なる明度フィルタ機能を備えたテンプレートを選択して前記画像に重ね合わせるステップであっても良い。この場合、データ送信ステップは、原画像とともにテンプレートを指定するデータを送信する。
【００１３】
【発明の実施の形態】
以下、本発明の実施の形態を、携帯電話によるメールの送受信に適用した一実施例として、図面を参照して説明する。
【００１４】
Ａ．第１実施形態
Ａ−１．第１実施形態の構成
図１は、本発明の第１実施形態によるメール送受信システムの構成を示すブロック図である。図において、携帯電話（無線通信端末／データ通信装置）１ａ，１ｂは、撮像装置と該撮像装置で撮影された画像（写真）を複数記憶することが可能な画像メモリとを備え、画像メモリに格納された画像（写真）をメールに添付して送信する機能、および画像が添付されたメールを受信する機能を備えている。また、該携帯電話１ａ，１ｂは、メールに添付する画像やメールに添付された画像をメール本文の背景画像として表示する機能や、添付した画像をメール本文の背景画像として表示することを受信側端末（受信側の携帯電話）に指示する情報を含んだメールを送信する機能も備えている。すなわち、携帯電話１ａ，１ｂは、画像を添付ファイルとして送受信できる一般的なメール機能だけでなく、メールに添付された画像がメール本文の背景画像として表示される背景画像付きメールを送受信できるメール機能も備えている。更に、該携帯電話１ａ，１ｂは、背景画像の明度を補正或いは調整する機能も備えている。
【００１５】
つまり、該携帯電話１ａ，１ｂは、例えば背景画像付きメールを送信する際には、背景画像付きメールの送信に先立って、当該メールを受信する受信側端末において当該メールが表示された際に、すなわち、メール本文に添付する画像を背景として該画像上にメール本文が重ね合わされて表示された際に、メール本文が明瞭に視認できるように、背景画像用としてメールに添付する画像の明度を補正することができるようになっている。言い換えると、受信側では、背景画像付きメールを受信すると、添付された画像（明度調整されたもの）を背景とし、該画像にメール本文を重ね合わせて表示するようになっている。
【００１６】
無線基地局２，２は、公衆回線網４を介して、より詳細には、携帯電話１ａ、１ｂのユーザが加入する通信サービス事業者が提供しており、且つ公衆回線網４の一部を構成している携帯電話網を介して、通信サービス事業者（インターネットプロバイダを含む）のセンタ装置３に接続する。
通信サービス事業者のセンタ装置３は、主なサービスとして提供している携帯電話サービスで必要とする交換機３４の他、後述のＷＷＷ５に接続するためのシステム（Ｗｅｂサーバ３２、ルータ３５）、メールシステム（メールサーバ３３）を備えている。無線基地局２をＡＰ（アクセス・ポイント）として、携帯電話１ａ、１ｂをＷＷＷ５に接続させるための機能も備えている。
【００１７】
公衆回線網４は、他の通信サービス事業者の携帯電話網や、アナログやデジタルの電話回線網を含む。ＷＷＷ５は、所謂インターネットである。インターネットサービスプロバイダ（以下ＩＳＰと称す）６は、交換機を除いて、通信サービス事業者のセンタ装置３と同じ構成であり、ＷＷＷ５に接続するためのシステム（便宜的にＷｅｂサーバ６２、ルータ６５）、メールシステム（メールサーバ６３）を備えている。パーソナルコンピュータ７は、公衆回線４、ＩＳＰ６を介してＷＷＷ５に接続したり、メールの送受信を行なう機能を備えている。
【００１８】
なお、本実施形態の特徴として、携帯電話１ａ，１ｂは背景画像付きメールを送受信するメール機能、すなわち、メールに添付する或いは添付された画像をメール本文の背景画像として表示処理するメールソフトプログラムを備えており、携帯電話１ａ，１ｂ同士間で背景画像付きメールを送受信した場合、背景画像付きメールを受信した側の携帯電話は、背景に画像を表示し、その上にメール本文を重ねて表示する（詳細は後述）。しかし、携帯電話１ａ，１ｂから通常のメール機能しか備えていない通信機器、例えば、パーソナルコンピュータ７へ、背景画像付きメールを送信した場合、パーソナルコンピュータ７では、背景画像用としてメールに添付された画像は、通常の添付ファイルとして扱われる。すなわち、本実施形態による「背景画像付きメールを処理するメールソフトプログラム」は、一般に知られているメールソフトプログラムと互換性を持っている。
【００１９】
次に、図２（ａ），（ｂ）は、携帯電話１ａ，１ｂの外観を示す図である。本実施形態における携帯電話１ａ、１ｂは、蓋部と本体部からなる二つ折り構造であり、図２（ａ）は、携帯電話１ａ，１ｂを開いた状態での正面図を示し、図２（ｂ）は、携帯電話１ａ，１ｂを開いた状態での背面図を示したものである。アンテナ１１は、蓋部の背面に設けられており、伸縮自在となっている。スピーカ１２は、蓋部の前面側に設けられており、音声出力を行なう。表示部（メイン表示部）１３は、カラーＬＣＤ（液晶表示器）であり、１２０ドット（幅）×１６０ドット（高さ）である。該表示部１３には、画像付き（背景画付き）メールの画像（写真）と本文とを同時に表示可能となっている。
【００２０】
キー操作部１４は、本体部の前面に設けられており、メールキー１４１、アドレスキー１４２、カメラキー１４３、サブメニューキー１４４、十字キー（４方向カーソルキー）１４５、センターキー（決定キー）１４６、オフフックキー１４７、オンフックキー１４８、テンキー１４９などからなる。メールキー１４１は、メール機能を起動し、メールメニューを表示するためのものである。アドレスキー１４２は、送信先のメールアドレスや発呼先の電話番号などを選択する際に用いるアドレス帳を開くためのものである。カメラキー１４３は、カメラ機能を起動し、カメラメニューを表示するためのものである。なお、このカメラキー１４３は、メール作成モードやメール表示モードにおいてメール本文と背景画像とを重ね合わせて表示しているときには、表示をメール本文のみにしたり背景画像のみにしたりする表示切換キーとしての機能を備えている。サブメニューキー１４４は、各機能におけるサブメニューを表示させるためのものである。十字キー１４５は、各機能において表示されたメニューの中から所望のメニューを選択したり、テンキーでデータを入力する際にデータ入力位置をシフトさせたりするためのものである。センターキー（決定キー）１４６は十字キー１４５の操作で選択されたメニューなどを確定するためのものである。オフフックキー１４７は通話を開始するためのものであり、オンフックキー１４８通話を終了するためのものである。テンキー１４９は、電話番号や文字の入力の際に使用するものである。マイク１５は、本体部の下部に設けられており、音声入力を行なう。
【００２１】
サブ表示部１６は、蓋部の背面に設けられている。背面キー１７は、透明、または半透明部材で構成され、着信の際、発光するＬＥＤ１７１を内蔵している。撮像レンズ１８は、蓋部２の背面、上記サブ表示部１６の下部に設けられている。報知スピーカ１９は、着信などを報知するものであり、蓋部を本体部に閉じた状態でも報知音が聞こえるように、本体部の裏面に配置されている。
【００２２】
次に、図３は、携帯電話１ａ，１ｂの回路構成を示すブロック図である。無線送受信部２０は、無線によりアンテナ１１を介して音声やデータ（メールデータ）を送受する。無線信号処理部２１は、無線送受信部２０で受信した音声やデータ（メールデータ）を復調し、あるいは無線送受信部２０へ送信するための音声やデータを変調するなどの無線通信に必要な処理をする。制御部２２は、各種動作および全体の動作を制御する。
【００２３】
画像メモリ２３は、撮像部（撮像レンズ１８、撮像モジュール１８１、ＤＳＰ１８２）で撮像され、画像処理プログラム領域２４１３に格納されたプログラムにより圧縮符号化された画像ファイルや、ＷＷＷ５を介してダウンロードした画像ファイルを格納するためのメモリである。ＲＯＭ２４は、書換可能なＦｌａｓｈ　ＲＯＭで構成され、本発明の特徴となる、後述の各種プログラムを格納する。
【００２４】
ドライバ２５は、表示部１３を駆動させる。ドライバ２６は、サブ表示部１６を駆動させる。加入者情報記憶部２７は、本携帯電話１を呼び出すための電話番号や、操作者（加入者）のＩＤ等、プロフィールデータを格納する。ＲＯＭ２８は、制御部１８を制御する各種プログラムなどを格納する。ＲＡＭ２９は、無線通信端末として必要な各種データを記憶し、かつ制御部２５が動作する上で必要なデータを格納するとともに、メールデータも格納記憶する。
【００２５】
音声信号処理部２００は、マイク１５から入力された音声信号を符号化処理して無線信号処理部２１へ出力したり、無線信号処理部２１から入力された通信相手からの音声信号を復号化してスピーカ１２を駆動させ、音声を出力する。撮像モジュール１８１は、ＣＣＤ、若しくはＣＭＯＳで構成され、カラー画像を取り込む。ＤＳＰ１８２は、撮像モジュール１８１に取り込まれた画像を符号化処理する。報知ドライバ１９２は、報音スピーカ１９、バイブレータ１９１、ＬＥＤ１７１を駆動させるためのドライバである。
【００２６】
次に、図４は、ＲＯＭ２４のメモリエリアの構成を示す概念図である。該ＲＯＭ２４は、本実施形態の特徴であるソフトウェアプログラムを格納する。ＲＯＭ２４は、メールソフトウェアプログラム領域２４１、画像処理プログラム領域２４１３およびその他のプログラム領域２４１４からなる。
【００２７】
メールソフトウェアプログラム領域２４１は、既知の一般的なメールソフトウェアプログラムを格納する領域２４１１と、メールに添付する或いは添付された画像をメール本文の背景画像として表示処理するプログラムを備えた背景画像表示対応メールソフトウェアプログラムを格納する領域２４１２とに分かれている。なお、背景画像表示対応メールソフトウェアプログラムは、ＩＳＰ６を介してＷＷＷ５からダウンロードするようにしてもよい。
【００２８】
画像処理プログラム領域２４１３は、撮像部（撮像レンズ１８、撮像モジュール１８１、ＤＳＰ１８２）で撮像され、デジタル符号化された画像を、ＪＰＥＧ方式やＰＮＧ方式、ＧＩＦ方式で圧縮処理するための画像処理プログラムを格納する。該画像処理プログラムは、本第１の実施の形態では、画像全体の平均的な明度を判別し、明度を上げたり下げたりする加工処理も行なう。その他のプログラム領域２４１４は、上記以外のアプリケーションプログラムなどが格納する。
【００２９】
次に、図５は、ＲＡＭ２９のメモリエリアの構成を示す概念図である。ＲＡＭ２９は、アドレス帳データ格納領域２９１、メールデータ格納領域２９２、添付ファイル格納領域２９３およびその他・ワークメモリ２９４からなる。アドレス帳データ格納領域２９１は、氏名、電話番号、メールアドレス等を一組のレコードとして複数格納する。メールデータ格納領域２９２は、メールソフトウェアを使用して作成されたメールデータや送信したメールデータ、受信したメールデータを格納する。添付ファイル格納領域２９３は、メールにファイルが添付されている場合、このファイルを格納する。その他・ワークメモリ２９４は、その他のワークメモリとして各種データを格納する。
【００３０】
図６は、メールデータ格納領域２９２の構成を示す概念図である。メールデータ格納領域２９２は、作成中のメールデータを格納するワーキング領域２９２１、送信済みや送信予定のメールデータを複数格納する領域（送信フォルダ）２９２２、受信したメールデータを複数格納する領域（受信フォルダ）２９２３とに分かれている。ワーキング領域２９２１は、メールの宛先を表すデータ（メールアドレスなど）、メールのサブジェクト、メール本文、メールにファイルを添付する際に当該ファイルが添付ファイル格納領域２９３或いは他のファイル格納領域のどこに格納されているかを表すアドレス（添付ファイルアドレス）、メールのタイプが通常メールであるか背景画像付きメールであるかを表す識別情報（メールタイプ識別フラグＭＴＦ）などを記憶する領域を備えている。送信フォルダ２９２２は、宛先データ、サブジェクト、メール本文、添付ファイルアドレス、メールタイプ識別フラグＭＴＦ、メールを送信した日時、当該メールが送信済みであるか否かを表す識別情報（送信済み識別フラグＭＳＦ）などを記憶する領域を備えている。受信フォルダ２９２３は、送信元を表すデータ（メールアドレスなど）、サブジェクト、メール本文、添付ファイルアドレス、メールタイプ識別フラグＭＴＦ、メールを受信した日時、当該メールが表示済み（確認済み）であるか否かを表す識別情報（表示済み識別フラグＭＲＦ）などを記憶する領域を備えている。
【００３１】
Ａ−２．第１実施形態の動作
次に、上述した第１実施形態の動作について説明する。
（１）メール作成処理
図７乃至図９は、本第１実施形態によるメール作成処理を説明するためのフローチャートである。待受状態でメールキー１４１が操作されると、メールモードが起動し、表示部１３に、“新規作成”、“受信フォルダ”、“送信フォルダ”などからなるメールメニューが表示される。“新規作成”は新規の送信メールを作成する際に選択するメニューであり、“受信フォルダ”は受信済みのメールを確認する際に選択するメニューであり、“送信フォルダ”は送信済み及び未送信のメールを確認する際に選択するメニューである。フローチャートでは、このメールメニューが表示されている状態をスタート状態としている。
【００３２】
このメールメニューにおいてメールの新規作成の指示が検出されたか否かを判断する（ステップＳ１０）。メールの新規作成の指示が検出されなかった場合には、その他の処理へ進む（ステップＳ１２）。一方、メールの新規作成の指示が検出されると、メール作成のためのメニュー画面を表示する（ステップＳ１４）。このメニュー画面は、通常のメールソフトプログラムに基づく通常のメールを作成するか、背景画像表示対応メールソフトプログラムに基づく背景画像付きメールを作成するかを選択する画面である。次に、背景画像付きメールの作成が選択されたか否かを判断する（ステップＳ１６）。ここで、背景画像付きメールの作成が選択されなかった場合には、通常のメール作成処理へ進む（ステップＳ１８）。
【００３３】
一方、背景画像付きメールの作成が選択されると、ワーキング領域２９２１のメールタイプ識別フラグＭＴＦに背景画像付きメールであることを表す情報“１”をセットするとともに、表示部１３に作成画面を表示する（ステップＳ２０）。この作成画面では、メールの作成においてデータを入力しなければならない項目、すなわち、“宛先”、“サブジェクト”、“本文”などの項目が表示される。そして、それぞれの項目が選択されてデータが入力されると、入力された各項目のデータをワーキング領域２９２１の対応する項目領域に格納するとともに、表示部１３で、入力されたこれらの内容（各項目のデータ）の表示を行なう（ステップＳ２２）。次に、入力内容に対する決定（確定）が指示されたか否かを判断する（ステップＳ２４）。そして、決定が指示されなかった場合には、ステップＳ２２へ戻り、入力を継続する。
【００３４】
一方、入力内容が決定された場合には、メールに添付可能な画像ファイルが画像メモリ２３に格納されているか否か検索する（ステップＳ２６）。そして、画像ファイルが格納されているか否かを判断し（ステップＳ２８）。画像ファイルが格納されていない場合には、その旨をユーザに知らせるべくエラー表示する（ステップＳ３０）。このエラー表示は、ユーザにより確認操作が為されるまで、例えばユーザが何れかのキーを操作するまで、維持され、ステップＳ３２でキー操作が検出されると、ステップＳ１４に戻る。
【００３５】
一方、画像ファイルがあった場合には、全ての画像ファイルをアルバム表示する（ステップＳ３４）。そして、このアルバム表示において添付すべき画像ファイルが選択されたか否かを判断し（ステップＳ３６）、画像ファイルが選択されなかった場合には、ステップＳ３４へ戻り、アルバム表示を継続する。なお、添付すべき画像ファイルの選択は、すなわち、メール本文の背景画像とする画像の選択は、ユーザが十字キー（カーソルキー）１４５とセンターキー１４６を操作して行なう。
【００３６】
一方、メールに添付するための画像ファイルがアルバム表示から選択されると、選択された画像ファイルが格納されている場所を示すアドレスをワーキング領域２９２１の添付ファイルアドレス格納領域に格納するとともに、選択された画像ファイルに基づく画像の明度を判別する（ステップＳ３８）。そして、画像の明度が中間値Ｍであるか否かを判断する（ステップＳ４０）。そして、画像の明度が中間値Ｍであれば、画像の明度を所定量増やし（ステップＳ４６）、その後、ステップＳ２２で作成されたメールの本文をこの画像上に重ねて表示する（ステップＳ５４）。すなわち、当該メールを受信する受信側携帯電話での表示状態をプレビューできるプレビュー表示を行う。
【００３７】
一方、画像の明度が中間値Ｍでなければ、中間値Ｍより明るいか否かを判断し（ステップＳ４２）、中間値Ｍより明るければ、さらに、中間値Ｍと閾値ＴＨ１（中間値Ｍ＜閾値ＴＨ１）との間であるか否かを判断する（ステップＳ４４）。そして、画像の明度が中間値Ｍと閾値ＴＨ１との間であれば、ステップＳ４６で画像の明度を所定量増やした後にステップＳ５４に進んで、ステップＳ２２で作成されたメールの本文をこの画像上に重ねてプレビュー表示する。他方、画像の明度が閾値ＴＨ１以上であれば、画像の明度を調整することなくそのままステップＳ５４に進んで、ステップＳ２２で作成されたメールの本文をこの画像上に重ねてプレビュー表示する。
【００３８】
一方、画像の明度が中間値Ｍより暗ければ、さらに、中間値Ｍと閾値ＴＨ２（中間値Ｍ＞閾値ＴＨ２）との間であるか否かを判断する（ステップＳ４８）。そして、画像の明度が中間値Ｍと閾値ＴＨ２との間であれば、画像の明度を所定量減らして暗くする（ステップＳ５０）とともに、表示する文字色（メール本文の表示色）を白に設定し（ステップＳ５２）、その後、ステップＳ２２で作成されたメールの本文をこの画像上に重ねてプレビュー表示する（ステップＳ５４）。また、画像の明度が閾値ＴＨ２より暗い場合には、明度を調整することなく、表示する文字色（メール本文の表示色）を白に設定する処理のみを行ない（ステップＳ５２）、その後、ステップＳ２２で作成されたメールの本文をこの画像上に重ねてプレビュー表示する（ステップＳ５４）。
【００３９】
このように、ステップＳ５４のプレビュー表示では、メールに添付する画像が、その明度を調整された上で、メールの本文の背景画像として、メールの本文とともに表示部１３に表示される。また、本実施形態では、上述したように、背景画像用としてメールに添付する画像の明度を判別することによって、メールの背景として表示される画像の明るさを調整することを特徴としている。
【００４０】
ここで、図１０乃至図１２を参照して、本実施形態における画像の明るさ調整をより具体的に説明する。図１０は、画像の明度調整について説明するための画像明度の概念図であり、図１１は、原画像と、原画像の明るさ（明度）が中間値Ｍ、若しくは、中間値Ｍと閾値ＴＨ１（明度７０％）の間にあるときにおける明度調整後の画像と、明度調整された画像とメールの本文とを重ねて表示した表示例の模式図であり、図１２は、原画像と、原画像の明るさ（明度）が中間値Ｍ以下で、中間値Ｍと閾値ＴＨ２（明度３０％）の間にあるときにおける明度調整後の画像と、明度調整された画像とメールの本文とを重ねて表示した表示例の模式図である。
【００４１】
画像の明るさ（明度）が図１０に示す中間値Ｍ、若しくは、中間値Ｍと閾値ＴＨ１（明度７０％）の間にあるときは、この画像の明度を上げるように加工処理する（前述したステップＳ４６参照）。図１１（ａ）が原画像、図１１（ｂ）が加工処理された画像である。そして、図１１（ｂ）に示す画像に対し、図７のステップＳ２２で作成されたメールの本文を重ね合わせ、図１１（ｃ）に示すようなプレビュー表示を行なう（前述したステップＳ５４参照）。
【００４２】
一方、画像の明るさ（明度）が図１０に示す中間値Ｍ以下で、中間値Ｍと閾値ＴＨ２（明度３０％）の間にあるときは、この画像の明度を下げるように加工処理する（前述したステップＳ５０参照）。図１２（ａ）が原画像、図１２（ｂ）が加工処理された画像である。そして、図１２（ｂ）に示す画像に対し、図７のステップＳ２２で作成されたメールの本文を、文字色を白に変更した上で重ね合わせ、図１２（ｃ）のようなプレビュー表示を行なう（前述したステップＳ５４参照）。
【００４３】
ユーザは、ステップＳ５４でのプレビュー表示が満足できるものである場合には、決定を指示し（メール内容を確定する指示を行ない）、満足できるものではない場合には、背景画像の明度をマニュアルで調整する指示や、メール本文の改行位置や表示位置などを訂正する指示を行なうことができる。
【００４４】
従って、制御部２２は、次に、ユーザによる決定指示が検出されたか否かを判断する（ステップＳ５６）。ここでユーザによる決定指示が検出されれば、作成中のメールデータをメールデータ格納領域２９２の送信フォルダ２９２２に格納し（ステップＳ５８）、その後、送信指示或いは終了指示の待機状態に移る（ステップＳ６０）。
【００４５】
なお、本実施形態では、加工された画像は添付ファイル格納領域２９３にメール本文と関連付けられて格納されるようになっている。従って、ステップＳ５８の格納処理では、ワーキング領域２９２１に格納されている作成中メールデータの内、添付ファイルアドレスを除くデータ、すなわち、宛先、サブジェクト、メール本文及びメールタイプ識別情報（識別フラグＭＴＦの内容）が、送信フォルダ２９２２の対応する領域に格納される。そして、送信フォルダ２９２２の添付ファイルアドレス格納領域には、前述の加工された画像が格納されている添付ファイル格納領域２９３のアドレスが格納される。また、送信フォルダ２９２２の識別フラグＭＳＦは、未送信を示す状態“０”にセットされる。
【００４６】
送信フォルダ２９２２に格納されたメールデータ（サブジェクト及びメール本文）は、ステップＳ６０の待機状態、或いは後刻、送信フォルダ２９２２から当該メールデータを読み出した状態で送信の指示があったとき、指定されている宛先に、添付ファイルアドレスで指定される画像及びメールタイプ識別フラグＭＴＦとともに送信される。このとき、送信フォルダ２９２２の送信日時格納領域には送信時刻が格納され、また識別フラグＭＳＦは送信済みを示す状態“１”に変更される。
【００４７】
一方、当該メールを受信した携帯電話は、受信したメールデータを受信フォルダ２９２３の対応する領域に格納するとともに、受信日時格納領域に受信時刻を記憶する。また、このとき、受信フォルダ２９２３の識別フラグＭＲＦは未表示（未確認）状態“０”にセットされる。この場合、受信したメールのメールタイプ識別フラグＭＴＦは、背景画像付きメールであることを示しているので、当該メールを受信フォルダ２９２３から読み出して表示すると、メールに添付されている画像を背景画像とし、その上にメール本文が重ねて表示される。
【００４８】
一方、ステップＳ５６で決定が検出できなかった場合は、画像明度のマニュアル調整が指示されているか否かの検出（ステップＳ６２）、メール本文の訂正が指示されているか否かの検出（ステップＳ８０）を行なう。画像明度のマニュアル調整指示が検出された場合は、画像の明度をマニュアルで調整する（ステップＳ６４）。そして、再度、ユーザによる決定指示が検出されたか否かを判断する（ステップＳ６６）。決定が指示されない場合には、ステップＳ６４へ戻り、マニュアル調整を継続する。
【００４９】
一方、マニュアル調整後に決定が指示されると、調整後の画像の明度を判別し（ステップＳ６８）、画像の明度が中間値Ｍであるか否かを判断する（ステップＳ７０）。中間値Ｍでなかった場合には、更に、中間値Ｍより明るいか否かを判断する（ステップＳ７２）。そして、マニュアル調整後の画像の明度が中間値Ｍより明るければ、ステップＳ７４において、表示する文字色（メール本文の文字色）を黒に設定した上で、上述したステップＳ５４へ戻り、メール本文と画像とを重ねてプレビュー表示する。
【００５０】
また、マニュアル調整後の画像の明度が中間値Ｍであった場合には、マニュアル調整後の画像の明度が中間値Ｍより明るかった場合と同様に、ステップＳ７４において、表示する文字色（メールの本文の文字色）を黒に設定した上で、上述したステップＳ５４へ戻り、メール本文と画像とを重ねてプレビュー表示する。なお、マニュアル調整後の画像の明度が中間値Ｍより暗かった場合には、ステップＳ７６において、表示する文字色（メール本文の文字色）を白に設定した上で、上述したステップＳ５４へ戻り、メール本文と画像とを重ねてプレビュー表示する。
【００５１】
このように、マニュアル調整で画像の明度が中間値Ｍをまたいで変更された場合には、メール本文の文字色を変更する。ユーザにより決定（メール内容確定と決定）されれば、前述したように、作成中のメールデータをメールデータ格納領域２９２の送信フォルダ２９２２に格納する（ステップＳ５６）。
【００５２】
一方、ステップＳ７８において、本文訂正の指示が検出された場合は、背景画像が表示されたままの状態で、メール本文の改行位置や表示位置の訂正、或いはメール本文自体の訂正を行なう（ステップＳ８０）。メール本文の改行位置を訂正すると、メール本文中の対応する位置において改行コードの挿入や削除が行なわれ、またメール本文の表示位置の訂正を訂正すると、メール本文の先頭に改行コードやスペースコードの挿入が行なわれる。そして、再度、ユーザによる決定指示が検出されたか否かを判断する（ステップＳ８２）。決定が指示されない場合には、ステップＳ８０へ戻り、本文訂正を継続する。
【００５３】
ステップＳ７８において本文訂正の指示が検出されなかった場合、及びステップＳ８２において決定が検出された場合には、上述したステップＳ５４へ戻り、メール本文と画像とを重ねてプレビュー表示する。
【００５４】
（２）受信メール表示処理
図１３は、本第１実施形態による受信メール表示処理を説明するためのフローチャートである。なお、受信メール表示処理は、前述した図７に示すステップＳ１２における「その他の処理」の１つであり、図１３に示すフローチャートは、前述した図７に示すステップＳ１０における「ＮＯ」からの分岐である。
【００５５】
メールの新規作成以外が選択された場合、受信フォルダが選択されたか否かを判断し（ステップＳ９０）、受信フォルダが選択されなければ、その他の処理へ進む（ステップＳ９２）。一方、受信フォルダが選択された場合には、受信したメールの一覧を表示すべく受信リストを表示する（ステップＳ９４）。
【００５６】
図１４は、表示部１３に表示される受信リストの表示例を示す模式図である。アイコン１３０１は、バッテリの充電量を表わしている。また、アイコン１３０２は、電波受信状態を表わしている。また、受信リストでは、アイコン１３０３〜１３０６でメールの既読／未読を判別できるようになっている。すなわち、アイコン１３０３は、受信フォルダ２９２３の識別フラグＭＴＦが“０”であり、且つ識別フラグＭＲＦが“０”であるとき表示されるアイコンであり、未読メールを表わしている。また、アイコン１３０４は、受信フォルダ２９２３の識別フラグＭＴＦが“１”であり、且つ識別フラグＭＲＦが“０”であるとき表示されるアイコンであり、未読の背景画像付きメールを表わしている。また、アイコン１３０５は、受信フォルダ２９２３の識別フラグＭＴＦが“０”であり、且つ識別フラグＭＲＦが“１”であるとき表示されるアイコンであり、既読メールを表わしている。そして、アイコン１３０６は、受信フォルダ２９２３の識別フラグＭＴＦが“１”であり、且つ識別フラグＭＲＦが“１”であるとき表示されるアイコンであり、既読の背景画像付きメールを表わしている。
【００５７】
ここで、ユーザは、表示したいメールを受信リストから選択操作することになる。そして、制御部２２は、選択されたメールの識別フラグＭＴＦの情報（内容）に基づいて、背景画像付きメールが選択されたか否かを判断し（ステップＳ９６）、背景画像付きメールが選択されなかった場合には、通常のメール処理へ進み（ステップＳ９８）、背景画像付きメールが選択された場合には、メールに添付されている画像を背景にしてメール本文を表示部１３に表示する（ステップＳ１００）。
【００５８】
背景画像付きメールが選択されて、メールに添付されている画像を背景にしてメール本文が表示部１３に表示されている状態（ステップＳ１００）では、次に、キャンセル操作が検出されたか否かの判断（ステップＳ１０２）、終了操作が検出されたか否かの判断（ステップＳ１０４）、及びキー１４３が操作されたか否かの判断、すなわち背景画像の表示指示が為されたか否かの判断（ステップＳ１０６）が行われる。
【００５９】
これらの判断において何れの操作も検出されなかった場合には、ステップＳ１００へ戻ってメール本文が重ねられた画像の表示を継続するが、キャンセル操作が検出された場合には、ステップＳ９４へ戻って受信リストの表示へ移行し、終了操作が検出された場合にはメールメニューの表示に戻る。
【００６０】
一方、キー１４３が操作された場合には、メール本文の表示を徐々に消し、図１０（ｂ）に示すような背景画像のみの表示にする（ステップＳ１０８）。次に、再度、キー１４３が操作されたか否かを判断する（ステップＳ１１０）。そして、キー１４３が操作されない場合には、ステップＳ１０８へ戻り、画像の表示を継続する。一方、画像が表示されている状態で、キー１４３が操作されると、ステップＳ１００へ戻り、メール本文を徐々に浮き立たせて（表示させて）、メール本文が重ねられた画像を表示する。すなわち、キー１４３が操作される毎に、メール本文が重ねられた画像（図１０（ｃ）参照）と、画像（図１０（ｂ））とが交互に切り換えられ、且つ切り換えた際にはそれぞれが徐々に表示されるようになっている。
【００６１】
なお、ステップＳ１０６でキー１４３の操作が検出されなかった場合、直接ステップＳ１０８へ戻るのではなく、他の所定キーの操作を検出するステップを設け、当該キーが操作された場合には、背景画像の表示を徐々に消し、メール本文のみの表示を行なうようにしてもよい。この場合も、ステップＳ１００へのリターンは、前記他の所定キーの再操作を検出したときに行うようにする。このようにすると、メール本文が重ねられた画像（図１０（ｃ）参照）と画像（図１０（ｂ））との切り換え表示だけでなく、メール本文が重ねられた画像（図１０（ｃ）参照）とメール本文のみの表示との切り換え表示も行えるのでので、必要に応じて背景画像及びメール本文のいずれも確実に視認することができる。
【００６２】
Ｂ．第２実施形態
次に、本発明の第２実施形態について説明する。なお、システム構成、携帯電話の外観、携帯電話の主構成は、前述した第１実施形態と同様であるので説明を省略する。
【００６３】
Ｂ−１．第２実施形態の構成
図１５は、本第２実施形態による携帯電話のＲＯＭ２４のメモリエリアの構成を示す概念図である。なお、図４に対応する部分には同一の符号を付けて説明を省略する。ＲＯＭ２４は、メールソフトウェアプログラム領域２４１、画像処理プログラム領域２４１６、テンプレートファイル格納領域２４１７およびその他プログラム領域２４１４からなる。
【００６４】
メールソフトウェアプログラム領域２４１は、既知の一般的なメールソフトを格納する領域２４１１と、背景画像表示対応メールソフトウェアプログラムを格納する領域２４１２とに分かれている。なお、背景画像表示対応メールソフトウェアプログラムは、ＷＷＷ５からダウンロードするようにしてもよい。
【００６５】
テンプレートファイル格納領域２４１７は、画像を表示する際に、画像処理プログラムに基づいて画像に特殊効果を付加するのに必要な、例えば、画像の明度を変えたり、画像にぼかしを入れたり、画像の表示色をセピア色に変えたりするのに必要なテンプレートファイル（フィルタ機能ファイル）を格納する領域である。テンプレートファイル格納領域２４１７は、本第２実施態様では、すくなくとも、異なる明度を有する複数種テンプレートファイルを格納している。本第２実施形態では、添付される画像そのものの明度を加工する処理を行なわず、メール本文を表示する表示領域（背景）に、明度を変更するフィルタ機能（テンプレートファイル）を重ね合わせることにより、背景画像の明度変更を行なうものである。より具体的には、各テンプレートファイルで規定されている明度補正データに基づいて、メール本文を表示する表示領域に表示される背景画像の明度を補正するものである。
【００６６】
図１６は、本第２実施形態において、画像とテンプレートファイルとの重ね合わせ処理を説明するための概念図である。画像ａの明度が閾値ＴＨ１より明るい場合には、透明背景テンプレートファイル（文字色・黒）ｅ、すなわち、明度補正値が“０”で且つ表示する文字色（メール本文の文字色）を黒に設定するテンプレートファイルを重ね合わせる。
【００６７】
画像ｂの明度が中間値Ｍより明るく閾値ＴＨ１より暗い場合、もしくは中間値Ｍの場合には、明度アップフィルタテンプレートファイル（文字色・黒）ｆ、すなわち、プラスの明度補正値を有し且つ表示する文字色（メール本文の文字色）を黒に設定するテンプレートファイルを重ね合わせる。
【００６８】
画像ｃの明度が中間値Ｍより暗く、閾値ＴＨ２より明るい場合には、明度ダウンフィルタテンプレートファイル（文字色・白）ｇ、すなわち、マイナスの明度補正値を有し且つ表示する文字色（メール本文の文字色）を白に設定するテンプレートファイルを重ね合わせる。
【００６９】
画像ｄの明度が閾値ＴＨ２より暗い場合には、透明背景テンプレートファイル（文字色・白）ｈ、すなわち、明度補正値が“０”で且つ表示する文字色（メール本文の文字色）を白に設定するテンプレートファイルを重ね合わせる。
【００７０】
つまり、この第２実施形態においては、画像そのものの明度は加工せずに、各テンプレートファイルで規定されている明度補正データに基づいて、表示された画像の表示明度を補正するものである。したがって、この第２実施形態においては、原画像そのものを加工せずにメールに添付して送信することができる。この場合、メールにはテンプレートファイルを指定する情報、すなわち、テンプレートファイル番号を付加する必要がある。それ故に、本実施形態では、メッセージデータ格納領域２９２にテンプレート番号格納領域が設けられる。
【００７１】
図１７は、本実施形態のメッセージデータ格納領域２９２の構成を示す概念図である。本実施形態のメッセージデータ格納領域２９２の構成と図６に示された第１実施形態のメッセージデータ格納領域２９２の構成とを比較すると、本実施形態のメッセージデータ格納領域２９２は、第１実施形態のメッセージデータ格納領域２９２の構成にテンプレート番号を格納する領域が追加されているだけである。
【００７２】
なお、受信したメールが背景画像付きメールであるか否かは、メールにテンプレート番号が付加されているか否かでも判別可能なので、背景画像付きメールの信号構成としては、メッセージタイプ識別情報を付加しない信号構成とすることもできる。この場合、図１７に示したメッセージデータ格納領域２９２に設けられているメッセージタイプ識別情報を格納する領域は、無くてもよい。
【００７３】
Ｂ−２．第２実施形態の動作
次に、上述した第２実施形態の動作について説明する。ここで、図１８および図１９は、本第２実施形態によるメール作成処理を説明するためのフローチャートである。なお、図１８および図１９に示すフローチャートの前段における処理（作成、画像の選択）は、図７および図８に示すステップＳ１０〜Ｓ３６までと同じであるので説明を省略する。
【００７４】
（１）メール作成処理
図８のステップＳ３６において、メールに添付するための画像がアルバム表示から選択されると、選択された画像の明度を判別する（ステップＳ１２０）。そして、画像の明度が中間値Ｍであるか否かを判断する（ステップＳ１２２）。そして、画像の明度が中間値Ｍであれば、明度アップフィルタテンプレートファイル（文字色・黒）を読み出す（ステップＳ１２８）。そして、この読み出したテンプレートファイルに基づいて画像の表示明度を補正し、且つこの明度補正された画像上にステップＳ２２で作成されたメールの本文を重ねて表示（プレビュー表示）する（ステップＳ１２８）。
【００７５】
一方、画像の明度が中間値Ｍでなければ、中間値Ｍより明るいか否かを判断し（ステップＳ１２４）、中間値Ｍより明るければ、さらに、中間値Ｍと閾値ＴＨ１（中間値Ｍ＜閾値ＴＨ１）との間であるか否かを判断する（ステップＳ１２６）。そして、画像の明度が中間値Ｍと閾値ＴＨ１との間であれば、画像の明度が中間値Ｍの場合と同一の明度アップフィルタテンプレートファイル（文字色・黒）を読み出し（ステップＳ１２８）、読み出したテンプレートファイルに基づいて画像の表示明度を補正し、且つこの明度補正された画像上にステップＳ２２で作成されたメールの本文を重ねてプレビュー表示する（ステップＳ１２８）。また、画像の明度が中間値Ｍと閾値ＴＨ１との間でなければ、すなわち閾値ＴＨ１より明るければ、透明背景テンプレートファイル（文字色・黒）を読み出す（ステップＳ１３０）。このテンプレートは明度補正値が“０”であるので、画像の表示明度補正を行なうこと無しに、ステップＳ２２で作成されたメールの本文を画像上に重ねてプレビュー表示する（ステップＳ１２８）。
【００７６】
一方、画像の明度が中間値Ｍより暗ければ、さらに、中間値Ｍと閾値ＴＨ２（中間値Ｍ＞閾値ＴＨ２）との間であるか否かを判断する（ステップＳ１３２）。そして、画像の明度が中間値Ｍと閾値ＴＨ２との間であれば、明度ダウンフィルタテンプレートファイル（文字色・白）を読み出す（ステップＳ１３４）。そして、この読み出したテンプレートファイルに基づいて画像の表示明度を補正し、且つメール本文の表示色を“白“に設定した上で、ステップＳ２２で作成されたメールの本文を明度補正された画像上に重ねてプレビュー表示する（ステップＳ１２８）。また、画像の明度が中間値Ｍと閾値ＴＨ２との間でなければ、すなわち閾値ＴＨ２より暗ければ、透明背景テンプレートファイル（文字色・白）を読み出す（ステップＳ１３６）。このテンプレートは明度補正値が“０”であるので、画像の表示明度補正を行なうこと無しに、メール本文の表示色を“白“に設定した上で、ステップＳ２２で作成されたメールの本文を画像上に重ねてプレビュー表示する（ステップＳ１２８）。
【００７７】
上述したように、ステップＳ１３８のプレビュー表示では、原画像の明度判別によって重ね合わせるテンプレートファイルを選択し、選択したテンプレートに基づいて画像の明度補正及び表示文字色の設定を行なった後、表示部１３に、メールの本文と画像とを重ねてプレビュー表示する。
【００７８】
次に、ユーザによる決定指示（メール内容を確定する指示）が検出されたか否かを判断する（ステップＳ１４０）。ここでユーザによる決定指示が検出されれば、作成中のメールデータをメールデータ格納領域２９２の送信フォルダ２９２２に格納し（ステップＳ１４２）、その後、送信指示或いは終了指示の待機状態に移る（ステップＳ１４４）。
【００７９】
なお、本実施形態では、原画像自体がテンプレート番号とともにメール本文に添付されて送信される構成であり、原画像自体が添付ファイル格納領域２９３にメール本文と関連付けられて格納されるようになっている。
【００８０】
従って、ステップＳ１４２の格納処理では、ワーキング領域２９２１に格納されている作成中メールデータの内、添付ファイルアドレスを除くデータ、すなわち、宛先、サブジェクト、メール本文、メールタイプ識別フラグＭＴＦ、及びテンプレート番号が、送信フォルダ２９２２の対応する領域に格納される。そして、送信フォルダ２９２２の添付ファイルアドレス格納領域には、前述の原画像が格納されている添付ファイル格納領域２９３のアドレスが格納される。また、送信フォルダ２９２２の識別フラグＭＳＦは、未送信を示す状態“０”にセットされる。
【００８１】
送信フォルダ２９２２に格納されたメールデータ（サブジェクト及びメール本文）は、ステップＳ１４４の待機状態、或いは後刻、送信フォルダ２９２２から当該メールデータを読み出した状態で送信の指示があったとき、指定されている宛先に、添付ファイルアドレスで指定される画像、テンプレート番号、及びメールタイプ識別フラグＭＴＦとともに送信される。このとき、送信フォルダ２９２２の送信日時格納領域には送信時刻が格納され、また識別フラグＭＳＦは送信済みを示す状態“１”に変更される。
【００８２】
一方、当該メールを受信した携帯電話は、受信したメールデータを受信フォルダ２９２３の対応する領域に格納するとともに、受信日時格納領域に受信時刻を記憶する。また、このとき、受信フォルダ２９２３の識別フラグＭＲＦは未表示（未確認）を示す状態“０”にセットされる。この場合、受信したメールのメールタイプ識別フラグは、背景画像付きメールであることを示しているので、当該メールを受信フォルダ２９２３から読み出して表示すると、メールに添付されている画像をテンプレート番号に基づいて明度補正したものを背景画像とし、その上にメール本文がテンプレート番号で指定される表示色で表示される。
【００８３】
なお、背景画像付きメールの信号構成がメッセージタイプ識別情報を付加しない信号構成で、受信フォルダ２９２３にメールタイプ識別フラグＭＴＦを格納する領域が設けられていない場合には、テンプレート番号格納領域にデータがあるか否かに基づいて、背景画像付きメールであるか否かを判別し、メールに添付されている画像を背景画像とするか否かの処理を行なう。
【００８４】
一方、ステップＳ１４０で決定が検出できなかった場合は、画像明度の訂正が指示されているか否かの検出を行なう（ステップＳ１４６）。画像明度の訂正指示が検出された場合は、マニュアルでテンプレートの切り換え選択処理を行なう（ステップＳ１４８）。そして、再度、ユーザによる決定指示が検出されたか否かを判断する（ステップＳ１５０）。決定指示が検出されない場合には、ステップＳ１４８へ戻り、テンプレートの切り換え選択処理を継続する。決定指示が検出された場合には、前述したステップＳ１３８へ戻り、画像の明度及びメール本文の表示色をステップＳ１４８選択されたテンプレートに基づいて設定した上で、メール本文と画像とを重ねてプレビュー表示する。
【００８５】
一方、ステップＳ１４６で画像明度訂正の指示が検出できなかった場合は、メール本文の訂正が指示されているか否かの検出を行なう（ステップＳ１５２）。ステップＳ１５２において、本文訂正の指示が検出された場合は、背景画像が表示されたままの状態で、メール本文の改行位置や表示位置の訂正、或いはメール本文自体の訂正を行なう（ステップＳ１５４）。そして、再度、ユーザによる決定指示が検出されたか否かを判断する（ステップＳ１５６）。ステップＳ１５６において決定が検出された場合には、上述したステップＳ１３８へ戻ってメール本文と画像とを重ねたプレビュー表示を行ない、決定が指示されない場合には、ステップＳ１５４へ戻って本文訂正を継続する。
【００８６】
ステップＳ１５２において本文訂正の指示が検出されなかった場合には、キー１４３が操作されたか否か、すなわち背景画像の表示指示が為されたか否かを判断する（ステップＳ１５８）。そして、キー１４３が操作されない場合には、ステップＳ１３８へ戻り、プレビュー表示を継続する。
【００８７】
一方、キー１４３が操作されると、図１１（ａ）に示す原画像を表示する（ステップＳ１６０）。次に、再度、キー１４３が操作されたか否かを判断する（ステップＳ１６２）。そして、キー１４３が操作されない場合には、ステップＳ１６０へ戻り、原画像の表示を継続する。一方、原画像が表示されている状態で、キー１４３が操作されると、ステップＳ１３８へ戻り、プレビュー表示する。すなわち、プレビュー表示の際、背景画像の明度調整やメール本文の訂正、原画像の確認などができるようになっている。
【００８８】
なお、本実施形態では、原画像の明度判別レベルを３レベルにし、４種類のテンプレートファイルを用いる例を示したが、原画像の明度判別レベルの数を増やし、より多くの種類のテンプレートファイルを用いるようにしてもよい。このようにすると、テンプレートを用いた補正後の画像明度を、所望の明度（例えば、図１０に示した閾値ＴＨ１やＴＨ２）付近に合わせ込むことができる。
【００８９】
（２）受信メール表示処理
次に、本第２実施形態による受信メール表示処理を説明する。本第２実施形態による受信メール表示処理は、図１３に示した第１実施形態による受信メール表示処理と略同一なので、図１３に示したフローチャートを参照して説明する。
【００９０】
本第２実施形態による受信メール表示処理は、第１実施形態による受信メール表示処理と同様に、メールメニューの表示状態で受信フォルダを選択し、受信リストを表示する（ステップＳ９０〜Ｓ９４）。ユーザが、表示したいメールを受信リストから選択すると、制御部２２は背景画像付きメールが選択されたか否かを、選択されたメールの識別フラグＭＴＦの情報（内容）に基づいて判断する（ステップＳ９６）。なお、受信フォルダ２９２３にメールタイプ識別フラグＭＴＦ格納エリアが設けられていない場合には、背景画像付きメールが選択されたか否かを、選択されたメールのテンプレート番号格納領域に番号データが格納されているかに基づいて判断する。
【００９１】
背景画像付きメールが選択されなかった場合には、通常のメール処理へ進み（ステップＳ９８）、背景画像付きメールが選択された場合には、メールに添付されている画像を背景にしてメール本文を表示部１３に表示する処理に進む（ステップＳ１００）。この表示処理では、メールに添付されたテンプレート番号で指定されるテンプレートに基づいて、背景画像として表示される画像の明度が補正され、且つメール本文の表示色が指定される。
【００９２】
次に、ユーザによりキャンセル操作が為されたか否かの判断（ステップＳ１０２）、終了操作が為されたか否かの判断（ステップＳ１０４）、及びキー１４３の操作が為されたか否かの判断（ステップＳ１０６）を順次行ない、何れの操作も為されなかった場合には、ステップＳ１００へ戻り、メール本文が重ねられた画像の表示を継続する。
【００９３】
一方、ステップＳ１０２でキャンセル操作が検出された場合には、ステップＳ９４の受信リスト表示に戻り、ステップＳ１０４で終了操作が検出された場合にはメールメニューの表示に戻る。そして、ステップＳ１０６でキー１４３が操作された場合には、ステップＳ１０８の背景画像のみの表示に移行する。第１の実施形態では、メールに添付されている背景画像用の画像が明度調整された画像であったので、ステップＳ１０８での画像表示では、図１０（ｂ）に示すような明度調整された画像が表示されたが、本第２の実施形態では、原画像自体がメールに添付されているので、図１０（ａ）に示すような原画像が表示される。すなわち、キー１４３が操作された場合には、メール本文の表示を徐々に消す（表示を徐々にぼかす？）（表示を徐々に薄くする？）とともに、画像の表示も図１０（ｂ）に示すような明度調整された画像から図１０（ａ）に示すような原画像に徐々に移行させる（表示されている画像の明度を原画像に徐々に近づける？）。
【００９４】
次に、再度、キー１４３が操作されたか否かを判断し（ステップＳ１１０）キー１４３が操作されなかった場合には、ステップＳ１０８へ戻り、画像の表示を継続する。一方、画像が表示されている状態で、キー１４３が操作されると、ステップＳ１００へ戻り、表示されている画像の明度をテンプレートで指定される明度まで徐々に変化させるとともに、メール本文を徐々に表示してメール本文が重ねられた画像を表示する。すなわち、キー１４３が操作される毎に、メール本文が重ねられた画像（図１０（ｃ）参照）と、原画像（図１０（ａ））とが交互に切り換えられ、且つ切り換えた際にはそれぞれが徐々に表示されるようになっている。
【００９５】
なお、本第２実施形態においても、ステップＳ１０６でキー１４３の操作が検出されなかった場合、直接ステップＳ１０８へ戻るのではなく、他の所定キーの操作を検出するステップを設け、当該キーが操作された場合には、徐々に原画像の表示を消し、メール本文のみの表示を行なうようにしてもよい。この場合も、ステップＳ１００へのリターンは、前記他の所定キーの再操作を検出したときに行なうようにする。このようにすると、メール本文が重ねられた画像（図１０（ｃ）参照）と原画像（図１０（ａ））との切り換え表示だけでなく、メール本文が重ねられた画像（図１０（ｃ）参照）とメール本文のみの表示との切り換え表示も行なえるのでので、必要に応じて背景画像及びメール本文のいずれも確実に視認することができる。
【００９６】
Ｃ．第３実施形態
次に、本発明の第３実施形態について説明する。
本第３実施形態は、メール本文に画像を添付する場合、原画像自体を送信する方式であり、且つ、添付した画像を受信側の表示部にメール本文の背景画像として表示させる際には、更に、添付の画像をメール本文の背景画像として表示することを指示する情報（フラグ情報）と、添付の画像を背景画像として表示する際の明度補正データとをメール本文に添付して送信する方式である。これにより、受信側では、添付の画像をメール本文の背景画像とする設定が為されている場合に、添付されている明度補正データに基づいて添付画像の明度を補正してメール本文の背景画像とするものである。なお、システム構成、携帯電話の外観、携帯電話の主構成は、前述した第１実施形態と同様であるので説明を省略する。
【００９７】
Ｃ−１．第３実施形態の構成
図２０は、本第３実施形態による携帯電話のＲＯＭ２４のメモリエリアの構成を示す概念図である。なお、図４に対応する部分には同一の符号を付けて説明を省略する。ＲＯＭ２４は、メールソフトウェアプログラム領域２４１１、画像処理プログラム領域２４１６、およびその他プログラム領域２４１４からなる。すなわち、前述した第１及び第２の実施形態では、２種類のメールソフトウェアプログラム（すなわち、通常のメールソフトウェアプログラムと背景画像付きメール用のメールソフトウェアプログラム）を格納する構成であったが、本第３実施形態では、メールソフトウェアプログラムは１種類となっている。
【００９８】
図２１は、本実施形態のメッセージデータ格納領域２９２の構成を示す概念図である。本実施形態のメッセージデータ格納領域２９２の構成と図６に示された第１実施形態のメッセージデータ格納領域２９２の構成とを比較すると、本実施形態のメッセージデータ格納領域２９２は、第１実施形態におけるメールタイプ識別情報ＭＴＦを格納する領域に替えて、メールに添付する画像をメール本文と背景画像として表示させるか否かを識別する識別フラグＢＤＦを格納する領域が設けられ、且つメールに添付する画像をメール本文と背景画像として表示させる際に、画像の明度を補正する補正値を格納する領域が追加で設けられているだけである。
【００９９】
Ｃ−２．第３実施形態の動作
次に、上述した第３実施形態の動作について説明する。
（１）メール作成処理
図２２は、本第３実施形態によるメール作成処理を説明するためのフローチャートである。フローチャートでは、図７と同様に、メールメニューが表示されている状態をスタート状態としている。このメールメニューにおいてメールの新規作成の指示が検出されたか否かを判断する（ステップＳ１７０）。メールの新規作成の指示が検出されなかった場合には、その他の処理へ進む（ステップＳ１７２）。
【０１００】
一方、メールの新規作成の指示が検出されると、表示部１３にメール作成画面を表示する（ステップＳ１７４）。この作成画面では、メールの作成においてデータなどを入力しなければならない項目、すなわち、“宛先”、“サブジェクト”、“本文”、添付ファイルなどの項目が表示される。
【０１０１】
次に、それぞれの項目が選択されてデータの入力や添付ファイルの選択が行なわれると、入力された各項目のデータをワーキング領域２９２１の対応する項目領域に格納するとともに、表示部１３で、入力されたこれらの内容（各項目のデータ）の表示を行なう（ステップＳ１７６）。
【０１０２】
ユーザは、この段階で、ステップＳ１７６の処理で添付ファイルとして選択した画像ファイルを通常の添付ファイルとして送信するか、或いはメール本文の背景画像用の添付ファイルとして送信するかを選択することが可能である。ユーザは、画像ファイルを通常の添付ファイルとして送信する場合には、決定指示を行ない、メール本文の背景画像用の添付ファイルとして送信するとする場合には、背景画像の表示指示を行なう。
【０１０３】
従って、制御部２２は、次に、入力内容に対する決定（確定）が指示されたか否かを判断する（ステップＳ１７８）。そして、決定（確定）が指示された場合には、作成中のメールデータをメールデータ格納領域２９２の送信フォルダ２９２２に格納し（ステップＳ１８０）、その後、送信指示或いは終了指示の待機状態に移る（ステップＳ１８２）。
【０１０４】
本第３実施形態は、前述したように、メール本文に画像を添付する場合、原画像自体を送信する方式であり、且つ、添付した画像を受信側の表示部にメール本文の背景画像として表示させる際には、更に、添付の画像をメール本文の背景画像として表示することを指示する情報（フラグ情報）と、添付の画像を背景画像として表示する際の明度補正データとをメール本文に添付して送信する方式である。
【０１０５】
従って、ステップＳ１８０の格納処理では、ワーキング領域２９２１に格納されている作成中メールデータの内、添付ファイルアドレスを除くデータ、すなわち、宛先、サブジェクト、メール本文、背景画表示識別フラグＢＤＦ、及び画像明度補正値が、送信フォルダ２９２２の対応する領域に格納される。そして、送信フォルダ２９２２の添付ファイルアドレス格納領域には、前述の原画像が格納されている添付ファイル格納領域２９３のアドレスが格納される。しかし、この段階では、メールに添付する画像があったとしても、まだ当該画像をメール本文の背景画像とする設定は為されておらず、ワーキング領域２９２１の背景画表示識別フラグＢＤＦの情報が背景画像表示を行わないことを示す情報“０”であり、画像明度の補正値も設定されていない。従って、送信フォルダ２９２２の背景画表示識別フラグＢＤＦには背景画像表示を行わないことを示す情報“０”がセットされ、また、画像明度の補正値も設定されない。また、送信フォルダ２９２２の識別フラグＭＳＦは、未送信を示す状態“０”にセットされる。
【０１０６】
一方、ステップＳ１７８で入力内容に対する決定指示が検出されなかった場合には、背景画像の表示指示があったか否かを検出する（ステップＳ１８４）。背景画像の表示指示が検出されなかった場合には、ステップＳ１７６に戻る。背景画像の表示指示が検出された場合には、ステップＳ１７６の処理で画像ファイルが添付されていたか否かを検出する（ステップＳ１８６）。画像ファイルが添付されていなかった場合には、エラー表示を行ない（ステップＳ１８８）、このエラー表示は、ステップＳ１９０においてユーザによる確認操作が検出されるまで維持され、ユーザによる確認操作が検出されると、ステップＳ１７６へ戻る。
【０１０７】
ステップＳ１８６において画像ファイルが添付されていることが検出されると、添付されている画像を表示部１３に表示するとともに、ユーザによる画像の表示明度の調整を可能にする（ステップＳ１９２）。ユーザが表示されている画像の明度を調整すると、その調整値（原画像の明度に対する補正値）がワーキング領域２９２１の補正値格納領域に格納される。この画像の表示明度調整は、ユーザが調整完了を指示するまで続けられ、ワーキング領域２９２１の補正値格納領域に格納される補正値も調整の都度更新される。ユーザが調整完了を指示すると、表示明度が調整された画像の上にメール本文を重ねて表示（プレビュー表示）する（ステップＳ１９４）。
【０１０８】
ユーザは、ステップＳ１９４でのプレビュー表示を見て、満足できるものである場合には、決定を指示する。しかし、満足できないものである場合には、背景画像の表示明度の再調整、本文の訂正、背景画像表示のキャンセルを指示することができる。従って、制御部２２は、プレビュー表示が為されている状態で、再調整指示があったか否かの検出（ステップＳ１９６）、本文訂正指示があったか否かの検出（ステップＳ１９８）、キャンセル指示があったか否かの検出（ステップＳ２００）及び決定指示があったか否かの検出（ステップＳ２０２）を実行する。
【０１０９】
ステップＳ１９６で再調整指示が検出されると、ステップＳ１９２の画像の表示明度調整処理に戻る。ステップＳ１９８で本文訂正指示が検出されると、図９におけるステップＳ８０と同様の本文訂正処理を行ない（ステップＳ２０４）、その後、ステップＳ１９４のプレビュー表示に戻る。ステップＳ２００でキャンセル指示が検出されると、ワーキング領域２９２１の補正値格納領域に格納されている補正値をクリアするとともに、ステップＳ１７６の項目データ入力及び表示処理に戻る。
【０１１０】
ステップＳ２０２で決定指示が検出されると、ワーキング領域２９２１の背景画表示識別フラグＢＤＦを“１”にセットし（ステップＳ２０６）、その後、ステップＳ１８０の格納処理を実行する。ステップＳ２０６の処理を経た後のステップＳ１８０の格納処理では、ワーキング領域２９２１の背景画表示識別フラグＢＤＦの情報が背景画像表示を行なうことを示す情報“１”にセットされているので、ワーキング領域２９２１に格納されている作成中メールデータの内、添付ファイルアドレスを除く全てのデータが、送信フォルダ２９２２の対応する領域に格納される。そして、送信フォルダ２９２２の添付ファイルアドレス格納領域には、前述の原画像が格納されている添付ファイル格納領域２９３のアドレスが格納される。
【０１１１】
送信フォルダ２９２２に格納されたメールデータ（サブジェクト及びメール本文）は、ステップＳ１８２の待機状態、或いは後刻、送信フォルダ２９２２から当該メールデータを読み出した状態で送信の指示があったとき、指定されている宛先に、添付ファイルアドレスで指定される画像、画像明度補正値及び背景画表示識別フラグＢＤＦの情報とともに送信される。このとき、送信フォルダ２９２２の送信日時格納領域には送信時刻が格納され、また識別フラグＳＤＦは送信済みを示す状態“１”に変更される。
【０１１２】
一方、当該メールを受信した携帯電話は、受信したメールデータを受信フォルダ２９２３の対応する領域に格納するとともに、受信日時格納領域に受信時刻を記憶する。また、このとき、受信フォルダ２９２３の識別フラグＭＲＦは未表示（未確認）を示す状態“０”にセットされる。この場合、受信したメールの背景画表示識別フラグＢＤＦが“１”の場合は、添付の画像をメール本文の背景画像として表示することを示しているので、当該メールを受信フォルダ２９２３から読み出して表示すると、メールに添付されている画像の明度を補正値に基づいて補正した上で背景画像として表示し、その上にメール本文が重ねて表示される。なお、背景画像付きメールの信号構成が背景画表示識別フラグ情報を付加しない信号構成で、受信フォルダ２９２３に背景画表示識別フラグＢＤＳを格納する領域が設けられていない場合には、画像明度補正値格納領域にデータがあるか否かに基づいて、背景画像付きメールであるか否かを判別し、メールに添付されている画像を背景画像とするか否かの処理を行なう。
【０１１３】
また、本実施形態では、画像の表示明度を調整する処理が終了した後に画像の上にメール本文を重ねて表示するプレビュー表示処理を行う構成としたが、ステップＳ１９２での画像の表示明度調整処理時に、画像の上にメール本文を重ねて表示するようにしてもよい。この場合、ステップＳ１９４のプレビュー表示は不要となり、またステップＳ１９２でのユーザによる調整完了の指示は、ステップＳ１９６において決定指示として検出されることになる。
【０１１４】
（２）受信メール表示処理
次に、本第３実施形態による受信メール表示処理を説明する。本第３実施形態による受信メール表示処理は、第１及び第２の実施形態による受信メール表示処理と略同一である。第１及び第２の実施形態による受信メール表示処理との相違は、図１３に示したフローチャートにおけるステップＳ９６での背景画像付きメールが選択されたか否かの検出処理が、選択されたメールの識別フラグＢＤＦの情報（内容）、或いは明度補正値の有無によって判断される点、ステップＳ１００でのメール本文表示で、メールに添付された画像の明度をメールに添付された画像明度補正値に基づいて補正したものを背景画像としている点、ステップＳ１０８での画像表示で、メールに添付された画像自体を表示するようにしている点だけである。
【０１１５】
なお、本実施形態では、メール本文の背景画像の表示を、原画像の明度を明度補正値に基づいて補正する方式で行なうようにしたが、第２の実施形態のようにテンプレートを使用する方式でも行なうことができる。この場合、携帯電話のＲＯＭ２４には、図２３のようにテンプレートファイル格納領域を備えたものを使用すればよく、また、メール作成処理におけるステップＳ１９２では、画像の表示明度調整処理としてテンプレートの選択処理を行い、メール送信では、画像明度の補正値に替えて選択したテンプレート番号を送信するようにすればよい。
【０１１６】
Ｄ．第４実施形態
次に、本発明の第４実施形態について説明する。
第１乃至第３実施形態は、待受状態でメールキーを操作してメールモードを起動した後に、メールメニューから新規作成モードを選択し、新規作成モードの中で背景画像を選択したり、添付画像を背景画像として指定して、送信する形態であったが、本第４実施形態は、カメラで撮像した画像を表示しているとき、或いは画像ファイルから画像を読み出しているときに、これらのモードにおけるサブメニューの中の送信を選択したり、メールキーを操作してメール作成モードに入るようにして、表示していた画像をメール本文の背景画像として指定して送信するようにしたものである。
【０１１７】
なお、この第４実施形態は、第３実施形態と同様に、原画像自体をメール本文の添付画像として送信する方式であり、前記表示されていた画像をメールに添付するとともに、当該添付画像をメール本文の背景画像として表示することを指示する情報（フラグ情報）と、添付の画像を背景画像として表示する際の明度補正データとをメール本文に添付して送信する方式である。これにより、受信側では、添付されている明度補正データに基づいて添付画像の明度を補正してメール本文の背景画像とするものである。なお、システム構成、携帯電話の外観、携帯電話の主構成は、前述した第１実施形態と同様であるので説明を省略する。
【０１１８】
Ｄ−１．第４実施形態の構成
本実施形態におけるＲＯＭ２４やメールデータ格納領域２９２などの構成は、第３実施形態のものと同じもので良い。
【０１１９】
Ｄ−２．第４実施形態の動作
次に、第４実施形態の動作について説明する。
（１）メール作成処理
図２４は、本第４実施形態によるメール作成処理を説明するためのフローチャートである。フローチャートでは、カメラで撮像した画像や画像ファイルから読み出された画像が表示部１３に表示されている状態をスタート状態としている。この表示状態において、送信が指示されたか否かを判断する（ステップＳ２１０）。この判断は、より具体的には、例えば、画像モードにおけるサブメニューの中の送信が選択されたか否かの判断、或いは、画像モードにおいてメールキー１４１が操作されたか否かの判断である。
【０１２０】
送信の指示が検出されると、表示部１３にメール作成画面を表示し（ステップＳ２１２）、他の指示が検出されると、その他の処理に進む（ステップＳ２１４）。ステップＳ２１２の作成画面では、メールの作成においてデータなどを入力しなければならない項目、すなわち、“宛先”、“サブジェクト”、“本文”、添付ファイルなどの項目が表示される。
【０１２１】
次に、それぞれの項目が選択されてデータの入力や添付ファイルの選択が行なわれると、入力された各項目のデータをワーキング領域２９２１の対応する項目領域に格納するとともに、表示部１３で、入力されたこれらの内容（各項目のデータ）の表示を行なう（ステップＳ１７６）。なお、送信指示の前に表示されていた画像は、ステップＳ２１６において自動的に添付ファイルの１つとして設定される。
【０１２２】
ユーザは、この段階で、ステップＳ２１６の処理で自動的に添付ファイルとして設定された画像（スタート時に表示されていた画像）を通常の添付ファイルとして送信するか、或いはメール本文の背景画像用の添付ファイルとして送信するかを選択することが可能である。ユーザは、画像ファイルを通常の添付ファイルとして送信する場合には、決定指示を行ない、メール本文の背景画像用の添付ファイルとして送信するとする場合には、背景画像の表示指示を行なう。
従って、制御部２２は、次に、入力内容に対する決定）が指示されたか否かを判断する（ステップＳ２１８）。そして、決定が指示された場合には、作成中のメールデータをメールデータ格納領域２９２の送信フォルダ２９２２に格納し（ステップＳ２２０）、その後、送信指示或いは終了指示の待機状態に移る（ステップＳ２２２）。
【０１２３】
本実施形態は、前述した第３実施形態と同様に、メール本文に画像を添付する場合、原画像自体を送信する方式であり、且つ、添付した画像を受信側の表示部にメール本文の背景画像として表示させる際には、更に、添付の画像をメール本文の背景画像として表示することを指示する情報（フラグ情報）と、添付の画像を背景画像として表示する際の明度補正データとをメール本文に添付して送信する方式である。
【０１２４】
従って、ステップＳ２２０の格納処理では、ワーキング領域２９２１に格納されている作成中メールデータの内、添付ファイルアドレスを除くデータ、すなわち、宛先、サブジェクト、メール本文、背景画表示識別フラグＢＤＦ、及び画像明度補正値が、送信フォルダ２９２２の対応する領域に格納される。そして、送信フォルダ２９２２の添付ファイルアドレス格納領域には、前述の原画像が格納されている添付ファイル格納領域２９３のアドレスが格納される。
【０１２５】
しかし、この段階では、メールに添付する画像があったとしても、まだ当該画像をメール本文の背景画像とする設定は為されておらず、ワーキング領域２９２１の背景画表示識別フラグＢＤＦの情報が背景画像表示を行わないことを示す情報“０”であり、画像明度の補正値も設定されていない。従って、送信フォルダ２９２２の背景画表示識別フラグＢＤＦには背景画像表示を行わないことを示す情報“０”がセットされ、また、画像明度の補正値も設定されない。また、送信フォルダ２９２２の識別フラグＭＳＦは、未送信を示す状態“０”にセットされる。
【０１２６】
一方、ステップＳ２１８で入力内容に対する決定指示が検出されなかった場合には、背景画像の表示指示があったか否かを検出する（ステップＳ２２４）。背景画像の表示指示が検出されなかった場合には、ステップＳ１７６に戻る。背景画像の表示指示が検出された場合には、ステップＳ２１６の処理で自動的に添付ファイルとして設定された画像（スタート時に表示されていた画像）を表示部１３に表示するとともに、ユーザによる画像の表示明度の調整を可能にする（ステップＳ２２６）。ユーザが表示されている画像の明度を調整すると、その調整値（原画像の明度に対する補正値）がワーキング領域２９２１の補正値格納領域に格納される。この画像の表示明度調整は、ユーザが調整完了を指示するまで続けられ、ワーキング領域２９２１の補正値格納領域に格納される補正値も調整の都度更新される。ユーザが調整完了を指示すると、表示明度が調整された画像の上にメール本文を重ねて表示（プレビュー表示）する（ステップＳ２２８）。
【０１２７】
ユーザは、ステップＳ２２８でのプレビュー表示を見て、満足できるものである場合には、決定を指示する。しかし、満足できないものである場合には、背景画像の表示明度の再調整、本文の訂正、背景画像表示のキャンセルを指示することができる。従って、制御部２２は、プレビュー表示が為されている状態で、再調整指示があったか否かの検出（ステップＳ２３０）、本文訂正指示があったか否かの検出（ステップＳ２３２）、キャンセル指示があったか否かの検出（ステップＳ２３４）及び決定指示があったか否かの検出（ステップＳ２３６）を実行する。
【０１２８】
ステップＳ２３０で再調整指示が検出されると、ステップＳ２２６の画像の表示明度調整処理に戻る。ステップＳ２３２で本文訂正指示が検出されると、図９におけるステップＳ８０及び図２２におけるステップＳ２０２と同様の本文訂正処理を行ない（ステップＳ２３８）、その後、ステップＳ２２８のプレビュー表示に戻る。また、ステップＳ２３４でキャンセル指示が検出されると、ワーキング領域２９２１の補正値格納領域に格納されている補正値をクリアするとともに、ステップＳ２１６の項目データ入力及び表示処理に戻る。
【０１２９】
ステップＳ２３６で決定指示が検出されると、ワーキング領域２９２１の背景画表示識別フラグＢＤＦを“１”にセットし（ステップＳ２４０）、その後、ステップＳ２２０の格納処理を実行する。ステップＳ２４０の処理を経た後のステップＳ２２０の格納処理では、ワーキング領域２９２１の背景画表示識別フラグＢＤＦの情報が背景画像表示を行なうことを示す情報“１”にセットされているので、ワーキング領域２９２１に格納されている作成中メールデータの内、添付ファイルアドレスを除く全てのデータが、送信フォルダ２９２２の対応する領域に格納される。そして、送信フォルダ２９２２の添付ファイルアドレス格納領域には、前述の原画像が格納されている添付ファイル格納領域２９３のアドレスが格納される。
【０１３０】
送信フォルダ２９２２に格納されたメールデータ（サブジェクト及びメール本文）は、ステップＳ２２２の待機状態、或いは後刻、送信フォルダ２９２２から当該メールデータを読み出した状態で送信の指示があったとき、指定されている宛先に、添付ファイルアドレスで指定される画像、画像明度補正値及び背景画表示識別フラグＢＤＦの情報とともに送信される。このとき、送信フォルダ２９２２の送信日時格納領域には送信時刻が格納され、また識別フラグＳＤＦは送信済みを示す状態“１”に変更される。
【０１３１】
本実施態様は、上記のように、画像表示状態で送信が指示されたときメールの新規作成モードとなり、且つ表示されていた画像が自動的に添付ファイルとなる点を除いて、前述した第３に実施形態と同一である。従って、メール作成処理における部分的な改変事項や受信メールの表示処理については説明しないが、第３に実施形態において説明した事項は、本実施形態においても同様である。
【０１３２】
【発明の効果】
本願の第１の発明（請求項１記載の発明）によれば、文書と共に送信する画像を、文書を受信する受信側データ通信装置の表示部に、文書の背景画像として表示させるか否かを設定する手段を設け、この設定手段により背景画像として表示させることが設定された場合に、前記文書、前記画像及び該画像を前記文書の背景画像として表示することが設定されたことを識別することが可能な情報を、１組のデータとして送信するようにしたので、送信側のユーザが文書に添付する画像を文書の背景画像として表示させることを希望すれば、受信側データ通信装置の表示部に、前記添付画像を前記文書の背景画像として表示させることができる。従って、送信側のユーザは添付画像に係わる内容をも盛り込んだメッセージを送ることができ、また受信側のユーザは添付画像を見ながら送信側のユーザのメッセージを見ることができるので、文書のみのメッセージよりも遥かに見栄えのするメッセージを送受信できる、というだけではなく、送信側のユーザの気持ちや感情も伝わり易い、という効果がある。また、前記データの送信に先立って前記画像を背景画像にして前記文書を表示させる手段を設けた場合には、送信側のユーザが受信側での表示状態をプレビューでき、また、画像を加工する手段を設けた場合には、受信側において文書および画像の双方が視認できるように、文書の背景画像となる画像の明度などを調整することが出来る。特に、プレビュー表示させる手段と画像を加工する手段の両方を設けた場合には、画像の明度などの調整をその画像が文書の背景画像として表示されている状態で行うことが出来るので、最も望ましい状態に設定することができる。
【０１３３】
本願の第２の発明（請求項１１記載の発明）によれば、受信手段で受信したデータが文書、画像及び該画像を前記文書の背景画像として表示させることの指定が為されていることを識別することが可能な情報を含む場合、前記画像を文書の背景画像として表示するようにしたので、受信側のユーザは添付画像を見ながら送信側のユーザのメッセージを見ることができる。従って、受信メッセージが文書のみのメッセージよりも遥かに見栄えのするメッセージである、というだけではなく、送信側のユーザの気持ちや感情も伝わり易い、という効果がある。
【０１３４】
本願の第３の発明（請求項１５記載の発明）によれば、送信側に、文書と共に送信する画像を、文書を受信する受信側データ通信装置の表示部に、文書の背景画像として表示させるか否かを設定する手段を設け、この設定手段により背景画像として表示させることが設定された場合に、前記文書、前記画像及び該画像を前記文書の背景画像として表示することが設定されたことを識別することが可能な情報を、１組のデータとして送信するようにし、受信側では、受信手段で受信したデータが文書、画像及び該画像を前記文書の背景画像として表示させることの指定が為されていることを識別することが可能な情報を含む場合、前記画像を文書の背景画像として表示するようにしたので、文書のみのメッセージよりも遥かに見栄えのするメッセージを送受信できる、というだけではなく、送信側のユーザの気持ちや感情も伝わり易い、という効果がある。
【０１３５】
本願の第４の発明（請求項１６記載の発明）によれば、第１のデータ通信装置から第２のデータ通信装置へ文書と画像とを送信し、第２のデータ通信装置の表示部に前記画像を背景画像として前記文書を表示させるデータ通信方法において、第１のデータ通信装置から、前記文書、画像及び前記第２のデータ通信装置に当該画像を前記文書の背景画像として表示させることを認識させる情報とを含むデータを送信し、当該データを受信する第２のデータ通信装置において、受信したデータが前記文書、前記画像及び前記認識させる情報とを含む場合、前記画像を前記文書の背景画像として表示するようにしたので、文書のみのメッセージよりも遥かに見栄えのするメッセージを送受信できる、というだけではなく、送信側のユーザの気持ちや感情も伝わり易い、という効果がある。
【図面の簡単な説明】
【図１】本発明の第１実施形態によるメール送受信システムの構成を示すブロック図である。
【図２】携帯電話１ａ，１ｂの外観図（開状態での正面図及び背面図）である。
【図３】携帯電話１ａ，１ｂの回路構成を示すブロック図である。
【図４】ＲＯＭ２４のメモリエリアの構成を示す概念図である。
【図５】ＲＡＭ２９のメモリエリアの構成を示す概念図である。
【図６】メールデータ格納領域２９２の構成を示す概念図ある。
【図７】本第１実施形態によるメール作成処理を説明するためのフローチャートである。
【図８】本第１実施形態によるメール作成処理を説明するためのフローチャートである。
【図９】本第１実施形態によるメール作成処理を説明するためのフローチャートである。
【図１０】画像の明度調整について説明するための画像明度の概念図である。
【図１１】現画像と、画像の明るさ（明度）が中間値Ｍ、若しくは、中間値Ｍと閾値ＴＨ１（明度７０％）の間にあるときにおける明度調整後の画像と、明度調整された画像とメール本文とを重ねて表示した表示例の模式図である。
【図１２】現画像と、画像の明るさ（明度）が中間値Ｍ以下で、中間値Ｍと閾値ＴＨ２（明度３０％）の間にあるときにおける明度調整後の画像と、明度調整された画像とメール本文とを重ねて表示した表示例の模式図である。
【図１３】本第１実施形態による受信メール表示処理を説明するためのフローチャートである。
【図１４】表示部１３に表示される受信リストの表示例を示す模式図である。
【図１５】本第２実施形態による携帯電話のＲＯＭ２４のメモリエリアの構成を示す概念図である。
【図１６】画像とテンプレートファイルとの重ね合わせ処理を説明するための概念図である。
【図１７】本第２実施形態による携帯電話のＲＡＭ２９内のメールデータ格納領域２９２の構成を示す概念図である。
【図１８】本第２実施形態によるメール作成処理を説明するためのフローチャートである。
【図１９】本第２実施形態によるメール作成処理を説明するためのフローチャートである。
【図２０】本第３実施形態による携帯電話のＲＯＭ２４のメモリエリアの構成を示す概念図である。
【図２１】本第３実施形態による携帯電話のＲＡＭ２９内のメールデータ格納領域２９２の構成を示す概念図である。
【図２２】本第３実施形態によるメール作成処理を説明するためのフローチャートである。
【図２３】本第３実施形態による携帯電話のＲＯＭ２４のメモリエリアの他の構成例を示す概念図である。
【図２４】本第４実施形態によるメール作成処理を説明するためのフローチャートである。
【符号の説明】
１ａ，１ｂ　携帯電話（送信側データ通信装置、受信側データ通信装置）
２　無線基地局
３　通信サービス事業者のセンタ装置
３２　Ｗｅｂサーバ
３３　メールサーバ
３４　交換機
３５　ルータ
４　公衆回線網
５　ＷＷＷ
６　インターネットプロバイダ
６２　Ｗｅｂサーバ
６３　メールサーバ
６５　ルータ
７　パーソナルコンピュータ
１１　アンテナ
１２　スピーカ
１３　表示部（表示手段）
１４　キー入力部
１５　マイク
１６　サブ表示部
１７　背面キー
１７１　ＬＥＤ
１８　撮像レンズ（撮影手段）
１９　報知スピーカ
２０　無線送受信部（送信手段）
２１　無線信号処理部
２２　制御部（作成手段、加工手段、表示切換制御手段、文字色変更手段）
２３　画像メモリ
２４　Ｆｌａｓｈ　ＲＯＭ
２５　ドライバ
２６　ドライバ
２７　加入者情報記憶部
２８　システムＲＯＭ
２９　ＲＡＭ（画像記憶手段）
１８１　撮像モジュール（撮影手段）
１８２　ＤＳＰ
１９２　ドライバ
２００　音声信号処理部
【図１】
2004005525.tif 000003
【図２】
2004005525.tif 000004
【図３】
2004005525.tif 000005
【図４】
2004005525.tif 000006
【図５】
2004005525.tif 000007
【図６】
2004005525.tif 000008
【図７】
2004005525.tif 000009
【図８】
2004005525.tif 000010
【図９】
2004005525.tif 000011
【図１０】
2004005525.tif 000012
【図１１】
2004005525.tif 000013
【図１２】
2004005525.tif 000014
【図１３】
2004005525.tif 000015
【図１４】
2004005525.tif 000016
【図１５】
2004005525.tif 000017
【図１６】
2004005525.tif 000018
【図１７】
2004005525.tif 000019
【図１８】
2004005525.tif 000020
【図１９】
2004005525.tif 000021
【図２０】
2004005525.tif 000022
【図２１】
2004005525.tif 000023
【図２２】
2004005525.tif 000024
【図２３】
2004005525.tif 000025
【図２４】
2004005525.tif 000026